(57)【要約】      （修正有）【課題】主要回路に対する防水性とセンサに対する通気性とを両立的に実現する外気の状態を測定するためのセンサ装置を提供する。【解決手段】センサ装置２３は、センサ及び送信回路等の電子回路を内蔵しており、それらを収納するケースを有している。ケースは、ケース本体１、ボトムケース７、及びそれらの間に挟まれる壁体５を含んでいる。ケース本体１は、下端が開口する筒状であり、電子回路が収納される。ボトムケース７は、上端が開口し、表裏の側壁に通気用の縦長のスリット１１の列が形成された筒状であり、センサが収納される。ボトムケース７は、ケース本体１の開口部に、壁体５とパッキン３とを挟んで、ネジにより締結されている。ボトムケース７の側壁は、表裏において上端が幾分後退しており、それにより横長のスリット状の通気口１３が、さらに形成されている。電子回路が収納されるケース本体１の内部には、外部の雨滴が進入し難い。【選択図】図２
0003190039.tif 000002
【実用新案登録請求の範囲】
【請求項１】
温度センサを含み、外気の状態を測定するセンサである外気センサと、
前記外気センサの測定値を取得する測定値取得回路と、
前記測定値取得回路が取得した前記測定値を、無線により送信する送信回路と、
互いに壁体により仕切られた第１室と第２室とを規定するケースと、を備え、
前記測定値取得回路と前記送信回路とは前記第１室に収納され、前記外気センサは前記第２室に収納され、
前記ケースのうち、前記第１室を規定する第１ケース部分は、前記第１室への雨滴の進入を防ぐ防水構造を成し、
前記ケースのうち、前記第２室を規定する第２ケース部分は、外気を前記第２室に通気させる通気口を有しており、
前記測定値取得回路と前記外気センサとは、前記壁体を貫通する複数の導体を通じて互いに電気的に接続されている、センサ装置。
【請求項２】
前記第２ケース部分は、前記センサ装置の使用時の姿勢において前記第１ケース部分の下方に位置しており、
前記通気口は、前記第２ケース部分のうち対向する表裏両側壁に形成され、当該両側壁の下端から上方へ向かって中途まで延びるスリットの列を含む、請求項１に記載のセンサ装置。
【請求項３】
前記通気口は、前記スリットの列から離れて、前記第２ケース部分の表裏両側壁の上端部に沿ったスリット状の通気口を、さらに含んでいる、請求項２に記載のセンサ装置。
【請求項４】
前記第２ケース部分のうち、前記通気口が形成される前記表裏両側壁は、前記第１ケース部分の対応する表裏両側壁よりも内側に後退している、請求項２又は３に記載のセンサ装置。
【請求項５】
前記第２室に収納されるセンサ基板を、さらに備え、
当該センサ基板は、幅狭の架橋部により互いに隔てられる第１領域と第２領域とを有し、前記複数の導体は前記第１領域に接続され、前記外気センサは前記第２領域に搭載され、
前記第１領域における前記複数の導体の接続部と前記第２領域に搭載される前記外気センサとは、前記架橋部を含む前記センサ基板に配設される導電パターンにより、電気的に接続されている、請求項１から４の何れかに記載のセンサ装置。
【請求項６】
前記第１室に収納される主回路基板と、
一端に開口部を有するケース本体と、
当該ケース本体の内側に前記開口部から着脱可能に挿入されるフレームと、を備え、
前記フレームは、前記ケース本体内に収納される本体部と、当該本体部に連結し、前記開口部を覆うとともに前記本体部から外方に張り出すフランジ部と、を有し、
前記フランジ部は、前記ケース本体の前記開口部の端縁に当接することにより、前記フレームの前記ケース本体の内側への進入を、所定位置において係止するとともに、前記壁体を構成し、かつ前記ケース本体とともに前記第１ケース部分を構成し、
前記測定値取得回路と前記送信回路とは、前記主回路基板に配設され、
当該主回路基板は、前記フレームの前記本体部に取り付けられており、
前記第２ケース部分は、前記フランジ部を挟んで、前記第１ケース部分の前記開口部の端縁にネジ止めされる、請求項１から４の何れかに記載のセンサ装置。
【請求項７】
前記フランジ部は、前記第２室側に突起する突起部を有し、
前記センサ装置は、前記突起部に取り付けられ、前記第２室に収納されるセンサ基板を、さらに備え、
当該センサ基板は、幅狭の架橋部により互いに隔てられる第１領域と第２領域とを有し、前記複数の導体は前記第１領域に接続され、前記外気センサは前記第２領域に搭載され、
前記第１領域における前記複数導体の接続部と前記第２領域に搭載される前記外気センサとは、前記架橋部を含む前記センサ基板に配設される導電パターンにより、電気的に接続されている、請求項６に記載のセンサ装置。
【請求項８】
前記外気センサは、前記温度センサに加えて、湿度センサを含んでいる、請求項１から７の何れかに記載のセンサ装置。
【請求項９】
前記第１室に収納される照度センサを更に備え、
前記第１ケース部分は、少なくとも前記照度センサの付近において、外光を前記第１室内に透過させる光透過部を含んでおり、
前記測定値取得回路は、前記照度センサの測定値をも取得し、
前記送信回路は、前記測定値取得回路が取得した前記照度センサの測定値をも、無線により送信する、請求項１から８のいずれかに記載のセンサ装置。
【請求項１０】
互いに異なる場所に配置され、各々が請求項１から９のいずれかに記載のセンサ装置である複数の子機と、
前記複数の子機の各々から無線により送信される測定値を受信する親機と、を備える環境モニタシステム。
【考案の詳細な説明】
【技術分野】
【０００１】
本考案は、植物工場内での使用に好適であり、外気の状態を測定し、無線を通じて親機に通知するセンサ装置、及び当該センサ装置を利用した環境モニタシステムに関する。
【背景技術】
【０００２】
従来、この種のセンサ装置として、特許文献１に開示されるものが知られている。この従来装置は、屋外に点在するように複数を配置しても、電池により長期間に亘って安定したシステム運用を行うことを可能にすることを目的とした無線端末装置である（特許文献１の段落［０００７］参照）。当該無線端末装置と親機である無線管理装置との間の通信には、特定小電力無線規格が使用される。無線端末装置は、データ取得部を有しており、当該データ取得部は、温度センサ、湿度センサ、ｐＨセンサ、水分センサ、日照量センサ、画像センサの少なくとも１つが出力するデータを取得する（特許文献１の請求項９，１６参照）。
【０００３】
しかし、特許文献１に記載の技術は、電池の使用による長期間のシステム運用を目指した技術であるため、無線端末装置と無線管理装置との間の通信に関与する装置部分については、詳細な開示がなされているものの、温度センサ等を備えつつ、無線端末装置の屋外での使用を可能にするための無線端末装置の構造については、開示がない。温度センサは、外気の温度を測定するものであるため、温度センサを備える無線端末装置には通気性が要求される。一方、無線端末装置は、無線通信のための回路、及び温度センサ等が出力するデータを取得するための回路を備える以上、屋外への設置を可能にするには防水性が要求される。
【０００４】
屋外だけでなく屋内においても、同様のシステムを要する場面がある。例えば植物工場においては、温度、湿度等の植物の生育環境をモニタすることが行われている。環境をモニタするためのセンサ装置は工場内の各所に配置され、温度等の測定値は、集中管理をする親機へ無線によって送信される。すなわち、センサ装置は、温度センサ等のセンサを搭載するとともに、測定値を取得する回路、及び取得した測定値を送信する回路等を備えることとなる。植物工場内に置いても、散水が行われることから、これらの主要回路を水濡れから保護するために、センサ装置には防水性が求められる。同時に温度センサ等は外気の状態を測定するものであるから、センサ装置には通気性も求められる。この相矛盾する要求を満たすためのセンサ装置の構造については、上記の通り特許文献１は何ら示唆を与えていない。
【先行技術文献】
【特許文献】
【０００５】
【特許文献１】特開２０１２−２３９１３７号公報
【考案の概要】
【考案が解決しようとする課題】
【０００６】
本考案は上記の問題点に鑑みてなされたもので、主要回路に対する防水性とセンサに対する通気性とを、両立的に実現するセンサ装置及び環境モニタシステムを提供することを目的とする。
【課題を解決するための手段】
【０００７】
上記課題を解決し上記目的を達成するために、本考案のうち第１の態様によるものは、センサ装置であって、外気センサと、測定値取得回路と、送信回路と、ケースとを備えている。前記外気センサは、温度センサを含み、外気の状態を測定するセンサである。前記測定値取得回路は、前記外気センサの測定値を取得する。前記送信回路は、前記測定値取得回路が取得した前記測定値を、無線により送信する。前記ケースは、互いに壁体により仕切られた第１室と第２室とを規定する。前記測定値取得回路と前記送信回路とは前記第１室に収納され、前記外気センサは前記第２室に収納されている。また、前記ケースのうち、前記第１室を規定する第１ケース部分は、前記第１室への雨滴の進入を防ぐ防水構造を成している。さらに、前記ケースのうち、前記第２室を規定する第２ケース部分は、外気を前記第２室に通気させる通気口を有している。そして、前記測定値取得回路と前記外気センサとは、前記壁体を貫通する複数の導体を通じて互いに電気的に接続されている。
【０００８】
この構成によれば、外気センサ、測定値取得回路及び送信回路を備えるので、外気の状態を測定し、無線を通じて親機に通知する子機としての使用が可能である。これらの装置部品を収納するケースが、壁体により仕切られる２室を有し、測定値取得回路及び送信回路を収納するケース部分が防水構造であるため、これらの回路が雨滴から守られる。また、外気に触れることを要する外気センサは、通気口を有するケース部分に収納されるので、外気の状態を測定することを妨げられない。また、通気口を通じた通気により、測定値取得回路及び送信回路からの熱伝導の外気センサへの影響も緩和ないし解消される。それにより、特に外気の温度変化への温度センサの追随性が向上する。壁体に隔てられた測定値取得回路と外気センサとは、壁体を貫通する複数の導体を通じて互いに電気的に接続されているので、防水性を損なうことなく、測定値取得回路による外気センサの測定値の取得が可能である。
【０００９】
本考案のうち第２の態様によるものは、第１の態様によるセンサ装置であって、前記第２ケース部分は、前記センサ装置の使用時の姿勢において前記第１ケース部分の下方に位置している。また、前記通気口は、前記第２ケース部分のうち対向する表裏両側壁に形成され、当該両側壁の下端から上方へ向かって中途まで延びるスリットの列を含んでいる。
【００１０】
この構成によれば、通気口が表裏両側壁に配列し、上下に延びるスリットの列を含むので、外気センサが収納される第２室を、対流により外気が通過し易くなり、通気性が向上する。なお、上記の通り、「下方」、「上方」という方向を表す語句は、当該センサ装置の使用時において予定される姿勢を基準にしている。当該姿勢への言及は、予定された姿勢以外での当該センサ装置の使用が不能であることを意味するものではなく、本構成による通気口の形状が、好ましい効果を奏する上で想定された姿勢を基準として、「下方」等の用語を使用することを明らかにする趣旨である。
【００１１】
本考案のうち第３の態様によるものは、第２の態様によるセンサ装置であって、前記通気口は、前記スリットの列から離れて、前記第２ケース部分の表裏両側壁の上端部に沿ったスリット状の通気口を、さらに含んでいる。
この構成によれば、通気口が表裏両側壁の上端部に沿ったスリット状の通気口をさらに含むので、外気センサが収納される第２室を、対流により外気がさらに通過し易くなり、通気性がさらに向上する。
【００１２】
本考案のうち第４の態様によるものは、第２又は第３の態様によるセンサ装置であって、前記第２ケース部分のうち、前記通気口が形成される前記表裏両側壁は、前記第１ケース部分の対応する表裏両側壁よりも内側に後退している。
この構成によれば、第１ケース部分の外表面に付着する水滴や露が、通気口を通じて第２ケース部分の内部に進入し難い。
【００１３】
本考案のうち第５の態様によるものは、第１から第４の何れかの態様によるセンサ装置であって、前記第２室に収納されるセンサ基板を、さらに備えている。そして、  当該センサ基板は、幅狭（はばせま）の架橋部により互いに隔てられる第１領域と第２領域とを有し、前記複数の導体は前記第１領域に接続され、前記外気センサは前記第２領域に搭載されている。さらに、前記第１領域における前記複数の導体の接続部と前記第２領域に搭載される前記外気センサとは、前記架橋部を含む前記センサ基板に配設される導電パターンにより、電気的に接続されている。
【００１４】
この構成によれば、外気センサがセンサ基板に搭載され、測定値取得回路に接続される複数導体にはセンサ基板を通じて接続され、しかも、複数の導体のセンサ基板への接続部と外気センサとの間は、幅狭の架橋部によって隔てられているので、外気センサへの複数の導体を通じた測定値取得回路等からの熱の影響が、さらに緩和ないし解消される。
【００１５】
本考案のうち第６の態様によるものは、第１から第４の何れかの態様によるセンサ装置であって、前記第１室に収納される主回路基板と、一端に開口部を有するケース本体と、当該ケース本体の内側に前記開口部から着脱可能に挿入されるフレームと、を備えている。前記フレームは、前記ケース本体内に収納される本体部と、当該本体部に連結し、前記開口部を覆うとともに前記本体部から外方に張り出すフランジ部と、を有している。また、前記フランジ部は、前記ケース本体の前記開口部の端縁に当接することにより、前記フレームの前記ケース本体の内側への進入を、所定位置において係止するとともに、前記壁体を構成し、かつ前記ケース本体とともに前記第１ケース部分を構成している。さらに、前記測定値取得回路と前記送信回路とは、前記主回路基板に配設され、当該主回路基板は、前記フレームの前記本体部に取り付けられている。また、前記第２ケース部分は、前記フランジ部を挟んで、前記第１ケース部分の前記開口部の端縁にネジ止めされる。
【００１６】
この構成によれば、測定値取得回路と送信回路とが配設された主回路基板を、フレームの本体部に取り付け、当該フレームの本体をケース本体内に挿入し、フレームのフランジ部を挟んで第２ケース部分をケース本体にネジ止めする、という簡単な工程により、防水構造の第１ケース部分を形成することができ、測定値取得回路と送信回路とを、フレームに支持された状態で防水構造の第１ケース内に収納することができる。
【００１７】
本考案のうち第７の態様によるものは、第６の態様によるセンサ装置であって、前記フランジ部は、前記第２室側に突起する突起部を有し、前記センサ装置は、前記突起部に取り付けられ、前記第２室に収納されるセンサ基板を、さらに備えている。当該センサ基板は、幅狭（はばせま）の架橋部により互いに隔てられる第１領域と第２領域とを有し、前記複数の導体は前記第１領域に接続され、前記外気センサは前記第２領域に搭載されている。そして、前記第１領域における前記複数導体の接続部と前記第２領域に搭載される前記外気センサとは、前記架橋部を含む前記センサ基板に配設される導電パターンにより、電気的に接続されている。
【００１８】
この構成によれば、外気センサをセンサ基板に搭載し、当該センサ基板をフレームのフランジ部の突起部に取り付け、その後にフレームのフランジ部を挟んで第２ケース部分をケース本体にネジ止めする、という簡単な工程により、外気センサをフレームに支持された状態で、通気口を有する第２ケース内に収納することができる。また、外気センサがセンサ基板に搭載され、測定値取得回路に接続される複数導体にはセンサ基板を通じて接続され、しかも、複数の導体のセンサ基板への接続部と外気センサとの間は、幅狭の架橋部によって隔てられているので、外気センサへの複数の導体を通じた測定値取得回路等からの熱の影響が、さらに緩和ないし解消される。
【００１９】
本考案のうち第８の態様によるものは、第１から第７の何れかの態様によるセンサ装置であって、前記外気センサは、前記温度センサに加えて、湿度センサを含んでいる。
この構成によれば、外気の湿度をも測定することができる。
【００２０】
本考案のうち第９の態様によるものは、第１から第８の何れかの態様によるセンサ装置であって、前記第１室に収納される照度センサを更に備えている。そして、前記第１ケース部分は、少なくとも前記照度センサの付近において、外光を前記第１室内に透過させる光透過部を含んでいる。また、前記測定値取得回路は、前記照度センサの測定値をも取得する。さらに、前記送信回路は、前記測定値取得回路が取得した前記照度センサの測定値をも、無線により送信する。
【００２１】
この構成によれば、照度をも測定することができるので、植物工場における照度をも含めた環境モニタリングに適する。
【００２２】
本考案のうち第１０の態様によるものは、環境モニタシステムであって、複数の子機と、親機とを備える。前記複数の子機は、互いに異なる場所に配置され、各々が第１から第９のいずれかの態様によるセンサ装置である。前記親機は、前記複数の子機の各々から無線により送信される測定値を受信する。
この構成によれば、例えば屋外あるいは植物工場など、雨滴あるいは散水に晒される環境の中においても、外気の状態を含む環境をモニタリングすることができる。
【考案の効果】
【００２３】
以上のように本考案によれば、主要回路に対する防水性とセンサに対する通気性とを、両立的に実現するセンサ装置及び環境モニタシステムが実現する。
【図面の簡単な説明】
【００２４】
【図１】本考案の一実施の形態によるセンサ装置の応用形態を例示する概略説明図である。
【図２】図１のセンサ装置の外観斜視図である。
【図３】図１のセンサ装置の分解正面断面図である。
【図４】図１のセンサ装置に内蔵される主回路基板について概略構成を示す正面図である。
【図５】図１のセンサ装置が有するフレームについて一部を切除して示す斜視図である。
【考案を実施するための形態】
【００２５】
図１は、本考案の一実施の形態によるセンサ装置の応用形態を例示する概略説明図である。このセンサ装置２３は、図１の応用例において、環境モニタシステム１０１の子機として使用に供されている。センサ装置２３は、一例として植物工場内の各所に配置されており、モニタすべき気温、湿度等の外気の状態を測定し、例えば特定小電力無線を通じて、所定の時間間隔をもって測定値を親機２１に送信する。親機２１は、各センサ装置２３から送信される測定値を受信し、受信時刻と共に測定値をコンピュータ１０２へ入力する。コンピュータ１０２は、記録用プログラムを実行することにより、測定値を記録する。
【００２６】
図２は、センサ装置２３の外観斜視図である。センサ装置２３は、センサ及び送信回路等の電子回路を内蔵しており、それらを収納するケースを有している。ケースは、内部に平板状の回路基板を収納する必要から、比較的平らな形状をなし、ケース本体１、ボトムケース７、及びそれらの間に挟まれる壁体５を含んでいる。ケース本体１は、下端（図２の左斜め下方）が開口する筒状である。ケース本体１には、主要回路が収納される。ボトムケース７は、上端（図２の右斜め上方）が開口し、表裏の側壁に通気用の縦長のスリット１１の列が形成された筒状であり、ケース本体１の開口部に、壁体５とパッキン３とを挟んで連結されている。ボトムケース７の側壁は、表裏において上端が下方に幾分後退しており、それにより横長のスリット状の通気口１３が、さらに形成されている。ボトムケース７にはセンサが収納される。なお、センサ装置２３に関して「上」、「下」等の方向を表す語句は、センサ装置２３が使用に供されるときに、予定されている好ましい姿勢に基づいている。
【００２７】
ボトムケース７の底面に開口するネジ止め用の孔９にネジ（図示略）を挿入し、ケース本体１の底面すなわち開口端縁に開口するように形成されたネジ孔（図示略）に螺合させることにより、ボトムケース７が、壁体５とパッキン３とを挟んでケース本体１に締結されている。これによりケースは、壁体５により２つのケース室に仕切られる。ケース本体１の開口部は、壁体５に覆われ、しかもパッキン３を挟むので、ケース本体１の内部（本考案の第１室の具体例に該当）には、外部の雨滴が進入し難い。すなわち、ケース本体１、パッキン３及び壁体５により形成されるケース部分（本考案の第１ケース部分の具体例に該当）は防水構造となっている。
【００２８】
一方、ボトムケース７には、スリット１１及び通気口１３が形成されるため、ボトムケース７の内部（本考案の第２室の具体例に該当）は、対流により外気が通過し易く、外気の通気性に優れている。ボトムケース７は、このように内部の優れた通気性を確保しつつ、内部に収納されるセンサを保護する役割を担う。スリット１１及び通気口１３が形成されるボトムケース７の表裏の側壁は、ケース本体１の表裏の側壁から幾分内側に後退している。それにより、ケース本体１に付着する雨滴や露が、ボトムケース７の内部に滴り落ちることが回避される。なお、ボトムケース７は、本考案の第２ケース部分の具体例に該当する。ケース本体１及びボトムケース７は、例えば樹脂製である。パッキン３は、例えばゴムパッキンである。
【００２９】
図３は、センサ装置２３の分解正面断面図である。図４は、センサ装置２３が内蔵する主回路基板について概略構成を示す正面図である。さらに図５は、センサ装置２３が有するフレームについて一部を切除して示す斜視図である。以下、これらの図を参照しつつ、センサ装置２３の構成について説明する。
【００３０】
センサ装置２３は、フレーム３０、主回路基板７５、及びセンサ基板４３をさらに含んでいる。フレーム３０は、本体部３５、フランジ部３６、及び突起部３９を有している。本体部３５は「コ」字状の枠体であり、ケース本体１の開口部から内部３３へ挿入される。本体部３５の四隅には、ネジ孔が形成されており、当該ネジ孔に螺合するネジ（図示略）により、主回路基板７５が本体部３５に締結される。フランジ部３６は、本体部３５の下端に連結し、ケース本体１の開口部を覆うとともに、本体部３５の外方に張り出す板状の部材である。フランジ部３６は、上記の壁体５を構成する。突起部３９は、フランジ部３６の底面から下方に突起する部材である。突起部３９には、ネジ孔３８が形成されており、ネジ孔３８に螺合するネジ（図示略）により、センサ基板４３が突起部３９に締結される。フランジ部３６には、更に、主回路基板７５とセンサ基板４３とを電気的に接続するための配線４１を通すための孔３４が形成されている。配線４１は、例えば、樹脂にて絶縁被覆された導体ワイヤである。
【００３１】
ボトムケース７の正面視左右両端付近には、ネジ６３の頭部を挿入するための縦方向の孔９と、当該孔９に連通しネジ６３の軸部を挿通させるための縦方向の孔６１とが形成されている。フレーム３０のフランジ部３６にも、孔６１に対応する２つの部位に、ネジ６３の軸部を挿通させるための縦方向の孔３７が形成されている。さらに、ケース本体１には、その開口端縁すなわち下端面のうち孔３７に対応する２つの部位に開口するように、ネジ孔３１が形成されている。従って、上述した通り、２本のネジ６３の軸部を、孔９から孔７及び孔３７に挿通させ、さらに図示を略するパッキン３に形成されている孔をも挿通させ、ケース本体１のネジ孔３１に螺合させることにより、ケース本体１、パッキン３、フランジ部３６（又は壁体５）、及びボトムケース７が一体化する。フランジ部３６は、図示略のパッキン３を挟んでケース本体１の開口端縁に当接し、かつネジ６３により固定されるので、ケース本体１内におけるフレーム本体３５の進入深さ及び前後左右の位置が定まる。
【００３２】
センサ基板４３は、一例として帯板状であり、長手方向が水平となるように突起部３９に取り付けられる。センサ基板４３には、長手方向の一端部付近に一方主面から他方主面まで貫通する矩形の貫通孔４５が形成されている。貫通孔４５の長手方向両側の領域４７、５１は、幅の狭い２本の架橋部４９によって連結されている。領域５１には気温と湿度とを測定する外気センサ５３が搭載されている。領域４７には、配線４１の一端が接続されている。センサ基板４３における配線４１の接続部と、外気センサ５３とは、架橋部４９を含むセンサ基板４３の主面に沿って配設されている導電パターンにより、電気的に接続されている。外気センサ５３と配線４１とがセンサ基板４３の導電パターンを通じて電気的に接続され、しかも両者は幅の狭い架橋部４９によって隔てられているので、主回路基板７５から配線４１を通じて伝わる熱の影響が抑えられる。従って、良好な通気性と相まって、外気センサ５３は、外気の状態を精度良く測定することが可能である。特に、外気の温度変化への温度センサの追随性が著しく向上する。
【００３３】
主回路基板７５は、一例として、フレーム３０の本体部３５の形状に整合するように、略矩形の板状である。主回路基板７５の主面に沿って、送信回路７１及び測定値取得回路７３が配設されている。測定値取得回路７３には、配線４１の他端が電気的に接続されている。測定値取得回路７３は、外気センサ５３が測定した気温及び湿度についての測定値を、配線４１を通じて取得する。送信回路７１は、測定値取得回路７３が取得した測定値を、無線により送信する。送信回路７１は、送信用のアンテナを含んでいる。図示を略するが、主回路基板７５には、電池を有し、各回路に電力を供給する電源回路が配設されている。電源回路は、送信回路７１及び測定値取得回路７３の一方又は双方の一部を成すものと把握することができる。
【００３４】
センサ装置２３を組み立てるには、まず、センサ基板４３をフレーム３０の突起部３９にネジにより取り付け、主回路基板７５をフレーム本体３５にネジにより取り付ける。相前後して、配線４１をフレーム本体３５のフランジ部３６に形成された孔３４に挿通し接着剤等により固着させる。その後、配線４１の両端を、主回路基板７５及びセンサ基板４３に、半田付け等により電気的に接続する。その後、パッキン３及びフレーム３０のフランジ部３６を挟んで、ボトムケース７をケース本体１に、ネジ６３により締結する。センサ装置２３は、このような簡単な工程により、組み立てることが可能である。
【００３５】
主回路基板７５には、照度を測定する照度センサを搭載してもよい。この場合には、ケース本体１は透明な部材、例えば透明な樹脂により形成されるか、あるいは、ケース本体１のうちの照度センサに近い部位に透明な窓を形成することにより、照度センサに外光を導くようにすると良い。この場合、測定値取得回路７３は、照度センサの測定値をも取得し、送信回路７１は照度を含む測定値を送信する。照度センサを備えることにより、センサ装置２３は、植物工場における照度を含めた環境モニタリングにも利用可能となる。
【００３６】
図３には、センサ基板４３に形成される架橋部４９が、貫通孔４５の縁部として形成される例を示したが、架橋部４９は他の形態をも採り得る。例えば、センサ基板４３の幅方向両端から切れ込みを形成し、それにより、幅の狭い架橋部４９を形成してもよい。
【００３７】
図３には、主回路基板７５とセンサ基板４３とを電気的に接続する複数の導体として、配線４１を例示したが、他の形態を採ることも可能である。例えば、フランジ部３６にコネクタが設けられ、当該コネクタは配線等により主回路基板と電気的に接続され、センサ基板４３に接続された配線の一端に、コネクタと着脱可能なプラグが接続されていてもよい。プラグをコネクタに装着することにより、主回路基板７５とセンサ基板４３とが電気的に接続される。この形態においても、主回路基板７５とセンサ基板４３とを電気的に接続する導体の一部として、コネクタの導体がフランジ部３６（すなわち壁体５）を貫通していることに変わりはない。
【００３８】
送信回路７１又は測定値取得回路７３の一部の回路部品、例えばアンテナが、フレーム本体３５あるいはフランジ部３６に支持されていてもよい。この形態においても、主回路基板７５に電気的に接続された当該回路部品が、主回路基板７５に配設されていることに変わりはない。
【００３９】
図２及び図３には、ボトムケース７の両側壁の上端が下方に後退することにより、スリット状の通気口１３が形成される例を示した。これに対し、ボトムケース７の両側壁の上端が後退することなく、当該上端の付近に、図３の正面視左右方向に延びるように開口されたスリット状の孔として、スリット状の通気口１３を形成してもよい。いずれの形態も、ボトムケース７の表裏両側壁の上端部に沿ったスリット状の通気口であることに変わりはない。
【符号の説明】
【００４０】
１  ケース本体
５  壁体
７  ボトムケース
１１  スリット（通気口）
１３  スリット状の通気口（通気口）
２３  センサ装置
３０  フレーム
３５  フレーム本体
３６  フランジ部
３９  突起部
４１  配線（導体）
４３  センサ基板
４７  領域（第１領域）
４９  架橋部
５１  領域（第２領域）
７１  送信回路
７３  測定値取得回路
７５  主回路基板
【図１】
0003190039.tif 000003
【図２】
0003190039.tif 000004
【図３】
0003190039.tif 000005
【図４】
0003190039.tif 000006
【図５】
0003190039.tif 000007